(57)【要約】【課題】簡単な構造で、小さな設置スペースで、容易に、短時間に、袋体（袋）を開口して、商品などの物品を袋体に収納することができる袋保持具を提供する。【解決手段】袋体は、開口部の周縁の一部が袋体底部と反対側へ延伸された延伸部を有する。延伸部は保持具に係止される孔部などの被係止部を有する。袋体は、孔部と延伸部の端部との間にミシン目などの切り離し用誘導部を有する。袋保持具は、袋保持具が設置される被設置面と接触する底部と、袋体を保持する保持部と、底部から立設されている第１の起立部とを有する。第１の起立部には保持部が設けられている。また、袋保持具は、底部から立設され、且つ第１の起立部に対して離間して設けられた第２の起立部を有する。第１の起立部は、第２の起立部に向けて傾斜した形状に形成されている。【選択図】図２
2019069789.tif 000002
【特許請求の範囲】
【請求項１】
開口部周縁の一部が袋体底部に対して反対側へ延伸された延伸部を有する袋体を保持する袋保持具であって、
袋保持具が設置される被設置面と接触する底部と、
袋体を保持する保持部と、
前記保持部が設けられ、前記底部から立設されている第１の起立部と、
を有することを特徴とする袋保持具。
【請求項２】
前記保持部は、前記保持される袋体の開口部が前記第１の起立部の上端部と前記保持部との間に位置するように、該袋体を保持することを特徴とする請求項１に記載の袋保持具。
【請求項３】
前記保持部は、前記第１の起立部の起立方向長さの略半分よりも下に位置していることを特徴とする請求項１または請求項２に記載の袋保持具。
【請求項４】
前記底部から立設され、且つ前記第１の起立部に対して離間して設けられた第２の起立部を有し、
前記第２の起立部は、前記袋体を折り曲げる位置で起立した形状に形成されていることを特徴とする請求項２または請求項３に記載の袋保持具。
【請求項５】
前記第１の起立部と前記第２の起立部との間の、前記底部を介した距離は、袋保持具により保持される袋の長手方向の長さよりも短いことを特徴とする請求項４に記載の袋保持具。
【請求項６】
前記保持部は、前記第１の起立部における、前記第２の起立部と対向する面に対して反対側の面に設けられていることを特徴とする請求項４または請求項５に記載の袋保持具。
【発明の詳細な説明】
【技術分野】
【０００１】
本発明は、袋保持具に関する。
【背景技術】
【０００２】
例えば、パン屋などの店舗では、パンなどの商品を個別包装することが一般的であり、商品登録を終えたパンをビニール袋などの袋へ収納している。また、パン屋などの店舗において、顧客の集中する時間帯などで包装時間の短縮が望まれている。
【０００３】
従来、ビニール袋の形状を工夫することで、袋の開口作業を容易にした包装袋が知られている（例えば、特許文献１参照）。
また、商品などを合成樹脂フィルム製の袋で包装する際に用いられる包装用補助装置が知られている（例えば、特許文献２参照）。
【先行技術文献】
【特許文献】
【０００４】
【特許文献１】実用新案登録第３０５８０５０号公報
【特許文献２】特開平９−１８３４２４号公報
【発明の概要】
【発明が解決しようとする課題】
【０００５】
しかしながら、特許文献１に記載の包装袋による包装では、作業効率や包装時間の短縮において十分であるとは言えない。
また、特許文献２に記載の包装用補助装置では、大きな設置スペースが必要である。
【課題を解決するための手段】
【０００６】
本発明の袋保持具は、以下の構成を少なくとも具備するものである。
開口部周縁の一部が袋体底部に対して反対側へ延伸された延伸部を有する袋体を保持する袋保持具は、
袋保持具が設置される被設置面と接触する底部と、
袋体を保持する保持部と、
前記保持部が設けられ、前記底部から立設されている第１の起立部と、
を有することを特徴とする。
【発明の効果】
【０００７】
本発明によれば、簡単な構造で、且つ、小さな設置スペースで、容易に、短時間に、袋体（袋）を開口して、商品などの物品を袋に収納することができる、袋体を保持する袋保持具を提供することができる。
【図面の簡単な説明】
【０００８】
【図１】本発明の実施形態に係る袋保持具の一例を示す斜視図。
【図２】本発明の実施形態に係る袋保持具の一例を示す図、（ａ）は袋保持具の正面図、（ｂ）は左側面図、（ｃ）は右側面図、（ｄ）は平面図、（ｅ）は底面図、（ｆ）は背面図。
【図３】本発明の実施形態に係る袋保持具により保持される袋体（袋）の一例を示す図、（ａ）は外観図、（ｂ）は側面図、（ｃ）は複数枚の袋の一例を示す側面図。
【図４】複数枚の袋体を保持した袋保持具の一例を示す図。
【図５】本発明の実施形態に係る袋保持具の動作の一例を示す図。
【図６】物品を袋に収容する場合の袋保持具の動作の一例を示す図。
【図７】本発明の一実施形態に係る袋保持具の一例を示す図。
【図８】本発明の一実施形態に係る、切欠き部や孔部を備えた袋保持具の一例を示す斜視図。
【図９】本発明の一実施形態に係る、凹部を備えた袋保持具の一例を示す図。
【発明を実施するための形態】
【０００９】
本発明の実施形態に係る袋保持具は、開口部周縁の一部が底部に対して反対側へ延伸された延伸部を有する袋体を保持する袋保持具である。袋保持具は、この袋保持具が設置される被設置面と接触する底部と、袋体を保持する保持部と、底部から立設された第１の起立部を有する。第１の起立部には、保持部が設けられている。
また、この袋保持具は、底部から立設され、且つ第１の起立部に対して離間して設けられた第２の起立部を有する。第１の起立部は、第２の起立部に向けて傾斜した形状に形成されている。
【００１０】
以下、本発明の実施形態に係る袋保持具を、図面を参照しながら説明する。本発明の実施形態は図示の内容を含むが、これのみに限定されるものではない。なお、以後の各図の説明で、既に説明した部位と共通する部分は同一符号を付して重複説明を一部省略する。
【００１１】
袋体１（袋）を開口可能に保持する袋保持具２０は、例えば、パン屋やスーパー等の店舗などに設けられて、使用される。
【００１２】
図１は本発明の実施形態に係る袋保持具２０の一例を示す斜視図である。図２は本発明の実施形態に係る袋保持具２０の一例を示す図である。詳細には、図２（ａ）は袋保持具２０の正面図、図２（ｂ）は左側面図、図２（ｃ）は右側面図、図２（ｄ）は平面図、図２（ｅ）は底面図、図２（ｆ）は背面図である。図３は本発明の実施形態に係る袋保持具２０により保持される袋体１（袋）の一例を示す図である。詳細には、図３（ａ）は袋体１の外観図、図３（ｂ）は袋体１の側面図、図３（ｃ）は複数枚の袋体１の一例を示す側面図である。
【００１３】
本発明の実施形態に係る袋保持具２０は、袋体１の幅と同程度の幅の板状の底部２０ａと、板状の底部２０ａに立設された第１の起立部２０ｂと、板状の底部２０ａに立設された第２の起立部２０ｃと、袋を保持する保持部２１とを有する。本実施形態では、保持部２１は、第１の起立部２０ｂに設けられている。
【００１４】
袋保持具２０は、例えば、底部２０ａ、第１の起立部２０ｂ、第２の起立部２０ｃは、それぞれ連結されて一体形成されている。袋保持具２０は、ステンレス等の金属材料、又は樹脂材料などの所定の材料により形成されている。例えば、１枚の金属板材を屈曲加工することにより、底部２０ａ、第１の起立部２０ｂ、第２の起立部２０ｃが形成され、第１の起立部２０ｂに屈曲形状の保持部２１を接合することにより、袋保持具２０を簡単に製造することができる。
【００１５】
詳細には、本実施形態では、袋保持具２０は、板状の底部２０ａから立設され、且つ第１の起立部２０ｂに対して所定距離だけ離間して設けられた第２の起立部２０ｃを有する。この第１の起立部２０ｂは、第２の起立部２０ｃに向けて傾斜した形状に形成されている。詳細には、第１の起立部２０ｂは、水平面に平行に配置された板状の底部２０ａに対して、角度６０°以上９０°以下、最適には７５°程度だけ、第２の起立部２０ｃに向けて傾斜するように形成されている。
【００１６】
また、第１の起立部２０ｂは、板状の底部２０ａを基準として第２の起立部２０ｃと略同じ高さとなるように、又は第２の起立部２０ｃよりも僅かに高くなるように形成されている。すなわち、第１の起立部２０ｂは第２の起立部２０ｃと略同じ又は僅かに高く形成されているので、作業者（ユーザ）による袋詰め作業の使用感が良好である。
【００１７】
袋保持具２０は、第１の起立部２０ｂと第２の起立部２０ｃとの間の、底部２０ａを介した距離は、袋保持具２０により保持される袋体１の長手方向の長さよりも短く構成されている。
そして、袋保持具２０の保持部２１は、第１の起立部２０ｂにおける、第２の起立部２０ｃと対向する面に対して反対側の面に設けられている。
【００１８】
具体的には、本実施形態では、袋体１には孔部１４が設けられており、袋保持具２０の第１の起立部２０ｂには、袋体１の孔部１４に挿通される１本または複数本、本実施形態では２本のピンなどの係止部としての保持部２１（２１ａ、２１ｂ）が幅方向（水平方向）に所定の長さだけ離れて立設されている。第１の起立部２０ｂの下端部付近、下端部よりも僅かに上方位置に保持部２１である係止部が設けられている。
保持部２１である係止部の間隔は、袋体１の孔部１４の間隔と同じとなるように規定されている。板状の底部２０ａは袋体１の幅と同程度の幅に形成されている。本実施形態では、袋保持具２０の係止部としてのピンは、袋体１に設けられた孔部１４と略同じ又は大きい直径の先端径大部を有する。尚、保持部２１としての係止部は、ピンの形状に限られるものではなく、例えば、フック形状、クリップ形状などの所定の形状に形成されていてもよい。本実施形態では、保持部２１は、斜め下方向に屈曲した形状に形成されている。また、保持部２１は、クリップやバインダ等の袋体を挟持可能な挟持部材であってもよい。
【００１９】
図３（ａ）、図３（ｂ）、図３（ｃ）に示したように、本発明の実施形態に係る袋保持具に用いられる袋体１は、前面部１１、及び背面部１２を有する。本実施形態では、袋体１は略四角形状に形成されており、四角形状のうち三辺が閉じ、一辺だけが開いている構造となっている。尚、袋体１は、この形態に限られるものではなく、例えば、略四角形状の四辺のうち、二辺が開いているタイプ（ハンバーガーの包みなど）や丸い形状であってもよい。
背面部１２は前面部１１よりも長さＬｆだけ延長された延伸部１３を備える。その延伸部１３は袋保持具の保持部２１に挿通される孔部１４を備える。孔部１４は、１個または複数個形成されていてもよい。本実施形態では、延伸部１３に、幅方向に所定の間隔で２つの孔部１４が設けられている。
【００２０】
前面部１１と背面部１２の幅方向の長さは、所定の長さＷｆに規定されている。また、袋体１には開口部１６が設けられている。袋体１は、開口部１６から商品などの物品を収納可能に構成されている。袋体１の長さＬＹ１（長手方向の長さ）は、袋に収容される商品などの物品の大きさにより、所定の長さに規定されている。
【００２１】
また、図３（ａ）に示したように、本実施形態では、袋体１は延伸部１３に被係止部を有する。本実施形態では、被係止部は孔部１４である。孔部１４は、円形状であってもよいし、四角形状、三角形状、楕円形状など所定の形状に形成されていてもよい。尚、被係止部は、孔形状に限られるものではなく、例えば、袋本体とミシン目などで分離可能な凸体、取っ手などの所定の形状であってもよい。
【００２２】
また、袋体１は、延伸部１３に設けられた孔部１４とその延伸部１３の端部（袋体１の幅方向に直交する方向の端部）との間に切り離し用誘導部１５を有する。本実施形態では、切り離し用誘導部１５は、ミシン目部や切り込み部などであってもよい。袋保持具２０の保持部２１のピンに袋体１の孔部１４を挿通した状態で、袋体１をピンから離間する方向に引っ張り、袋体１を袋保持具２０のピンから容易に取り外すことができる。
袋体１は、樹脂製、例えばポリエステルなどのビニール製であってもよいし、紙製などの所定の材料で形成されていてもよい。
【００２３】
図３（ｃ）に示したように、本実施形態では、紐などの結束手段１９により複数の袋体１が結束されて束１０となっている。詳細には、結束手段１９としての紐は、複数の袋体１の孔部１４に挿通して結びつけられている。紐などの結束手段１９により複数の袋体１を結束した状態で、袋保持具２０に容易に取り付けることができる。複数の袋体１を結束手段１９により結束した状態で、作業者（ユーザ）は商品などの物品を収容した袋体１を袋保持具２０から容易に取り外すことができる。
【００２４】
袋体１は、開口部１６の周縁の一部が底部１ｂ（袋体底部）と反対側へ延伸された延伸部１３を有する。延伸部１３は袋保持具に係止される被係止部を有する。被係止部は、孔形状の孔部１４などである。また、袋体１は、孔部１４と延伸部の端部との間にミシン目などの切り離し用誘導部１５を有する。
すなわち、袋保持具２０の係止部としてのピンに袋体１の孔部１４を挿通した状態で、ユーザが商品などの物品を袋体１に収納した後、袋体１を底部方向などに引っ張ることで、袋体１を袋保持具２０から容易に切り離すことができる。
また、袋体１は、外力に最も弱い部分が誘導部となっている。袋体１を引き抜く際に、袋体１の分離（開放）を切り離し用誘導部１５から確実に行うことができる。もし、この誘導部が無い場合、想定外の袋の破壊を起こす可能性があり、袋の不要な破片を発生させ、さらには袋開口内に混入する可能性もある。
【００２５】
次に、袋保持具２０の動作の一例を、図面を参照しながら説明する。
例えば、ＰＯＳレジ付近の作業台の被設置面上に袋保持具２０が設置される。
先ず、図４、図５に示したように、袋体１の束１０を袋保持具２０の第１の起立部２０ｂを跨ぐように配置し、袋体１の孔部１４に、袋保持具２０の保持部２１である係止部を挿通する。保持部２１の係止部は屈曲形状に形成され、先端部に径の大きい先端径大部を有するので、袋体１が保持部としての係止部から外れにくい。
【００２６】
また、第１の起立部２０ｂと第２の起立部２０ｃとの間の、底部２０ａを介した距離ＬＹ２０ａが、袋体１の全長（ＬＹ１）よりも短くなるように、袋保持具２０が形成されているので、第１の起立部２０ｂと第２の起立部２０ｃとの間の底部２０ａ上に、袋体１の一部分を収容することでき、袋保持具２０の接地スペースが小さい。
【００２７】
そして、図５に示したように、作業者（ユーザ）の指ｆなどにより袋体１の前面部１１をつまむことにより、片手で、袋体１の開口部１６の開口を容易に大きくすることができる。
【００２８】
次に、図６に示したように、作業者（ユーザ）は商品などの物品Ａを袋体１内に収納する。そして、図６に示したように、袋体１内に商品などの物品Ａを収容した状態で、作業者（ユーザ）は指ｆで袋体１を、保持部２１である係止部に対して離間する方向に引っ張り、袋体１がミシン目などの切り離し用誘導部１５を介して、保持部２１（係止部）のピンから取り外される。
【００２９】
また、本発明の実施形態に係る袋保持具は、袋体１の切り離し用誘導部１５のミシン目を切る力では動かない重さ（質量）を備えているので、袋保持具２０が被設置面に対してずれることがなく、袋体を引っ張り、袋体をミシン目を介して袋保持具から切り離すことができる。また、商品の袋詰め作業時に、袋保持具自体の自重により袋保持具が被設置面に対してずれないので、袋保持具を被設置面に対して、接着剤やネジやボルトなどの固定部材により固定しなくともよい。
【００３０】
尚、袋体１は、上記実施形態に限られるものでなく、例えば、上記切り離し用誘導部１５の代わりに、袋体の孔部１４と開口部１６の間に、袋の幅方向に沿って切り離し誘導部を設け、その切り離し誘導部から、容易に切り離し可能な構造であってもよい。
【００３１】
そして、複数の物品Ａそれぞれを各袋体１に収納する場合、作業者（ユーザ）は、指ｆなどにより袋体１の前面部１１をつまむことにより、片手で、袋体１の開口部１６の開口を容易に大きくし、他方の手で直接または把持器具を用いて物品Ａそれぞれを各袋体１に収納して、袋体１を袋保持具２０から切り離す、動作を繰り返すことにより、短時間で、容易に、複数の物品Ａを各袋体１それぞれに収容することができる。
【００３２】
また、本発明の実施形態に係る袋保持具は、袋体１を袋保持具２０に設置する場合、必然的に袋体１の開口部１６が下を向いた状態で設置されるため（下方向に開口するため）、例えば、上方向に開口するように袋体１を設置した場合（比較例）と比べて、異物やホコリなどが袋体内に混入する可能性が低く、衛生的に袋体１を袋保持具２０に保持することができる。
【００３３】
以上、説明したように、本発明の実施形態に係る袋保持具２０は、開口部１６の周縁の一部が袋体底部（底部１ｂ）に対して反対側へ延伸された延伸部１３を有する袋体１を保持する。この袋保持具２０は、この袋保持具２０が設置される作業台などの被設置面と接触する底部２０ａと、袋体１を着脱自在に保持する保持部２１（２１ａ、２１ｂ）と、底部２０ａから立設されている第１の起立部２０ｂとを有する。本実施形態では、第１の起立部２０ｂに保持部２１が設けられている。
すなわち、簡単な構造で、且つ、小さな設置スペースで、容易に、短時間に、袋体１（袋）を開口して、商品などの物品を袋に収納することができる、袋体１を保持する袋保持具２０を提供することができる。また、両手で袋を開く際の動作の片手の役割を袋保持具２０が担っている。つまり、作業者は片手で袋体１をつまむだけで袋の開口を作り、物品などの包装を容易に行うことができる。なお、上述した実施形態では、袋保持具２０は板状の底部２０ａを有し、簡単な構造となっている。
【００３４】
また、袋体１が保持部２１により保持され、袋体１が第１の起立部２０ｂを跨ぐように配置されることにより、袋体１の取り出しと、袋体１の開口を大きくすることを容易に行うことができる。
【００３５】
また、本発明の実施形態に係る袋保持具２０の保持部２１は、袋体１を保持する場合、保持される袋体１の開口部１６が第１の起立部２０ｂの上端部と保持部２１との間に位置した状態で、該袋体１を保持するように構成されている。
すなわち、保持される袋体１の開口部１６が第１の起立部２０ｂの上端部と保持部２１との間に位置し、袋体１が第１の起立部２０ｂを跨ぐように配置されて、保持部２１により袋体１が保持されることで、袋体１の開口部１６の開口を容易に大きくすることができ、簡単に、短時間に、商品である物品を袋体１に収容することができる。
【００３６】
また、本発明の実施形態に袋保持具２０の保持部２１は、第１の起立部２０ｂの起立方向長さの略半分よりも下に位置した構造を有する。
すなわち、袋体全体の多くの部分を、袋保持具２０の第１の起立部２０ｂに掛けることができる。また、袋体１の開口や開口を大きくするために、袋体１を掴む位置が第１の起立部２０ｂの表面に位置するため、利用者は容易に袋体１を掴むことができる。
比較例として、仮に、袋体１の開口部が、第１の起立部２０ｂの上端部近傍に位置する構造を有する袋保持具（比較例）の場合、袋体１の開口を大きくするために掴む位置が第１の起立部２０ｂの裏面側に位置してしまうため、袋体１を掴み難い。
【００３７】
また、本発明の実施形態に係る袋保持具の第１の起立部２０ｂは傾斜した形状に形成されている。詳細には、第１の起立部２０ｂは、水平面に沿って配置された板状の底部２０ａに垂直に立設されるのではなく、第２の起立部２０ｃ側に、角度６０°以上９０°未満（水平面を基準とする）だけ傾斜するように形成されている。
すなわち、第１の起立部２０ｂが水平面に対して傾斜していることにより、詳細には、ピン状の保持部２１が設けられた面に対して反対側の面側に傾斜しているので、袋体１に対して指を添えやすくなり、袋体１を指で把持し、袋体１の開口部を容易に大きくすることができる。
【００３８】
また、本発明の実施形態に係る袋保持具２０は、底部２０ａから立設され、且つ第１の起立部２０ｂに対して離間して設けられた第２の起立部２０ｃを有する。第２の起立部２０ｃは、袋体１を折り曲げる位置で起立した形状に形成されている。詳細には、袋保持具２０に袋体１を取り付けた状態で、袋体１を袋体１の中央部又は中央部と袋体底部（底部１ｂ）との間で凹状に折り曲げる位置に対応する、袋保持具２０の位置に、底部２０ａから第２の起立部２０ｃが起立した形状に形成されている。上述した袋保持具２０に袋体１を取り付けた状態とは、袋体１の被係合部としての孔部１４が、袋保持具２０の係合部としての保持部２１に挿通され、袋体１の略中央部が第１の起立部２０ｂの頂部を超えて掛かるように凸状に折り曲げられた状態である。
すなわち、袋保持具２０は第２の起立部２０ｃを備えているので、袋保持具２０の設置スペースを超えて袋体１が広がることを抑止することができ、小さい設置面積（設置スペース）の袋保持具を提供することができる。
詳細には、上述した実施形態では、袋保持具２０の第２の起立部２０ｃと第１の起立部２０ｂの間に袋体１の一部分が配置され、袋体１が第２の起立部２０ｃを超えて袋保持具２０の外側に配置されていないので、袋体が設置される面積を小さくすることができる。
なお、袋体を袋保持具２０の第１の起立部２０ｂと第２の起立部２０ｃそれぞれの上端部を跨ぐように設置してもよい。また、袋体を、袋保持具２０の第１の起立部２０ｂと第２の起立部２０ｃの間で凹状に折り曲げてもよいし、折り曲げなくともよい。また、袋体の底部１ｂ側の一部分を、袋保持具２０の第２の起立部２０ｃの上端部から、袋保持具２０の外側に垂れ下がるように設置してもよい。すなわち、袋体が設置される面積を小さくすることができる。
【００３９】
また、本発明の実施形態に係る袋保持具２０は、第１の起立部２０ｂと第２の起立部２０ｃとの間の、底部２０ａを介した距離は、袋保持具２０により保持される袋体１の長手方向の長さよりも短く構成されている。
すなわち、袋体１の全長（ＬＹ１）よりも、第１の起立部２０ｂと第２の起立部２０ｃとの間の、底部２０ａを介した距離ＬＹ２０ａが短いので、第１の起立部２０ｂと第２の起立部２０ｃとの間に袋体１の一部分を収容することでき、接地スペースが小さい袋保持具２０を提供することができる。
【００４０】
また、本発明の実施形態に係る袋保持具２０の保持部２１は、第１の起立部２０ｂにおける、第２の起立部２０ｃと対向する面に対して反対側の面に設けられている。すなわち、簡単な構造で、保持部２１の係止部により袋体１が保持され、袋体１が第１の起立部２０ｂを跨ぐように配置することができる袋保持具２０を提供することができる。
【００４１】
また、袋保持具２０は、保持部２１としての係止部の位置が、第１の起立部２０ｂの横方向（左右方向）、又は上下方向に所定距離だけ移動可能に構成されていてもよい。また、その係止部が第１の起立部２０ｂに対して着脱可能に設けられていてもよい。詳細には、例えば、保持部２１としてネジ状の係止部を採用した場合、予め複数の穴が第１の起立部２０ｂの所定の位置にそれぞれ離れて設けられており、任意の穴へそのネジ状の係止部を設置する構造であってもよい。すなわち、保持部２１としての係止部の位置を、袋体の孔部１４に対応した位置に容易に調整することができる。
また、袋保持具２０の保持部２１としてスライド式の係止部を採用してもよく、第１の起立部２０ｂの所定の位置から左右方向又は上下方向にスライドさせて、袋体の孔部１４に対応した位置に容易に調整することができる。
また、保持部２１としてマグネット式の係止部を採用し、その係止部が磁着可能な金属材料で構成された第１の起立部の任意の位置に着脱自在に設けられていてもよく、この場合、予め複数の穴を第１の起立部に設ける必要がなく、簡単な構造で係止部の位置を容易に調整することができる。
【００４２】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４３】
上述した実施形態では、袋保持具２０の幅は、袋体１の幅と略同じ長さであるが、この形態に限られるものではなく、任意の幅であってもよい。
【００４４】
袋保持具２０の保持部２１の係止部は、この形態に限られるものではなく、複数個の突出部が第１の起立部２０ｂの所定の位置に設けられていてもよい。
【００４５】
また、袋保持具は、第１の起立部２０ｂに設けられる代わりに、例えば、図７に示したように、第１の起立部２０ｂよりも水平方向に沿って突出するように延設された板状の底部２０ａａに、保持部２１Ｃの係止部が形成されていてもよい。この保持部２１Ｃは、板状の底部２０ａａから上方に所定高さまで突出して、第１の起立部２０ｂに対して反対方向に屈曲した形状であってもよい。
【００４６】
また、第２の起立部２０ｃは、板状の底部２０ａに対して垂直に立設されていてもよいし、第１の起立部２０ｂ側に僅かに傾斜した形状、又は第１の起立部２０ｂから離間する方向に僅かに傾斜した形状であってもよい。
【００４７】
また、図８に示した、袋保持具２０は、第１の起立部２０ｂの上端部に切欠き部２０ｂａが設けられていてもよく、第１の起立部２０ｂの左右端部に切欠き部２０ｂｂ、切欠き部２０ｂｃが設けられていてもよく、第１の起立部２０ｂの略中央部に孔部２０ｂｈが設けられていてもよい。なお、上記切欠き部２０ｂａ，２０ｂｂ，２０ｂｃ、孔部２０ｂｈの少なくとも１つ以上が設けられていてもよく、更に多くの切欠き部や孔部が第１の起立部２０ｂに設けられていてもよい。この切欠き部２０ｂａ，２０ｂｂ，２０ｂｃ、孔部２０ｂｈは、作業者が袋体をつかみやすい位置に設けられていることが好ましく、さらに、袋体の開口部の開口を大きくしやすい位置に設けられていることがより好ましい。
すなわち、図８に示した例では、第１の起立部２０ｂの所定の位置に切欠き部や孔部が設けられているので、作業時に、作業者が袋体１をつかみやすくなり、作業性が向上する、袋保持具を提供することができる。
【００４８】
また、図９に示したように、第１の起立部２０ｂには、業者が袋体をつかみやすくするために、凹部２０ｂｖ又は凸部が１つ又は複数個設けられていてもよい。この凹部２０ｂｖまたは凸部は、作業者が袋体をつかみやすい位置に設けられていることが好ましく、さらに、袋体の開口部の開口を大きくしやすい位置に設けられていることがより好ましい。また、第１の起立部２０ｂには、複数の凹部２０ｂｖ又は凸部が波形状に並設されていてもよい。
すなわち、図９に示した例では、第１の起立部２０ｂに凹部２０ｂｖ又は凸部が設けられているので、作業時に、作業者が袋体１をつかみやすくなり、作業性が向上する、袋保持具を提供することができる。
【００４９】
尚、本発明に係る袋保持具は、例えば、レジスターやセルフレジスターなどに設けられていてもよい。また、袋保持具が設けられる場所は、例えば、サッカー台（スーパーの袋詰めを行う台）や食品を扱うバックヤードや売り場などであってもよい。
【符号の説明】
【００５０】
１…袋体（袋）
１ｂ…底部（袋体底部）
１０…束
１１…前面部
１２…背面部
１３…延伸部
１４…孔部
１５…切り離し用誘導部
１６…開口部
１９…結束手段
２０…袋保持具（保持具）
２０ａ…底部
２０ｂ…第１の起立部
２０ｃ…第２の起立部
２１…保持部（ピンなどの係止部）
【図１】
2019069789.tif 000003
【図２】
2019069789.tif 000004
【図３】
2019069789.tif 000005
【図４】
2019069789.tif 000006
【図５】
2019069789.tif 000007
【図６】
2019069789.tif 000008
【図７】
2019069789.tif 000009
【図８】
2019069789.tif 000010
【図９】
2019069789.tif 000011